(57)【要約】【課題】  アトラクション施設に簡易に導入できると共に、遊戯者の怖がり具合の測定が遊戯者に煩雑感を与えることなく行える遊戯測定具、及びこれを導入したアトラクション施設を提供する。【解決手段】  遊戯中に遊戯者に携帯させて遊戯者の怖がり具合を判定する遊戯測定具１である。この測定具本体に、遊戯中の遊戯者の怖がり具合を測定する測定手段２と、測定手段２で測定した測定値を記録する記録手段３と、記録手段３に記録された測定手段２での測定結果をもとに遊戯者の怖がり具合を判定する判定手段４と、判定手段４での判定結果を表示する表示手段６とを具備する。【選択図】        図１
2006116078.tif 000002
【特許請求の範囲】
【請求項１】
遊戯中に遊戯者に携帯させて遊戯者の怖がり具合を判定する遊戯測定具であって、測定具本体に、遊戯中の遊戯者の怖がり具合を測定する測定手段と、測定手段で測定した測定値を記録する記録手段と、記録手段に記録された測定手段での測定結果をもとに遊戯者の怖がり具合を判定する判定手段と、判定手段での判定結果を表示する表示手段とを具備したことを特徴とする遊戯測定具。
【請求項２】
測定具本体に判定手段を作動させるための判定開始スイッチを設けたことを特徴とする請求項１記載の遊戯測定具。
【請求項３】
測定手段として測定具本体の振動を測定する振動センサを用い、測定具本体に、照明器具と測定具本体の傾斜を測定する傾斜センサとを設けると共に、傾斜センサの測定値をもとに振動センサが正常に動作できない程に測定具本体が傾斜していると判定した場合に上記照明器具の出力をオフにする照明制御手段を設けたことを特徴とする請求項１または２記載の遊戯測定具。
【請求項４】
照明器具を多色ＬＥＤで構成して通常発光色以外の発光色に発光させることで表示手段として機能させたことを特徴とする請求項３記載の遊戯測定具。
【請求項５】
請求項１の遊戯測定具を遊戯者を怖がらせたり驚かすような各種の仕掛けが備えられたアトラクション施設の入口で遊戯者に貸与するようにし、アトラクション施設の出口に遊戯測定具の判定結果を表示させる判定表示装置を配設したことを特徴とする遊戯測定具を導入したアトラクション施設。
【請求項６】
請求項２の遊戯測定具を遊戯者を怖がらせたり驚かすような各種の仕掛けが備えられたアトラクション施設の入口で遊戯者に貸与するようにし、アトラクション施設の出口に遊戯測定具の判定結果を表示させる判定表示装置を配設し、判定表示装置に遊戯測定具の判定開始スイッチを押圧するスイッチ押圧手段を設けたことを特徴とする遊戯測定具を導入したアトラクション施設。
【請求項７】
判定表示装置に判定手段での判定結果を表示する表示画面を設けたことを特徴とする請求項５または６記載の遊戯測定具を導入したアトラクション施設。
【発明の詳細な説明】
【技術分野】
【０００１】
本発明は、遊戯中の遊戯者の怖がり具合を判定する遊戯測定具、これを導入したお化け屋敷などのアトラクション施設に関するものである。
【背景技術】
【０００２】
お化け屋敷などのアトラクション施設では、入口から入った遊戯者は、遊戯者を怖がらせたり驚かすような各種の仕掛けが備えられた施設内を巡って、出口に向うようにされている。このような施設では、遊戯者を怖がらせたり驚かせるための仕掛けに工夫を凝らして集客に努めているが、施設で一度遊戯を楽しんだ遊戯者はその後は施設内の仕掛けの内容に新鮮味を感じなくなることが多くて繰り返し施設で遊戯を楽しむリピーターの遊戯者は少なく、そのため施設の来客数が伸び悩んでいるのが現状である。
【０００３】
この現状を打開するべく、このような施設には、特許文献１のように、遊戯者の遊戯中の怖がり具合を評価するような遊戯者評価システムを導入し、遊戯後、遊戯者にたとえば遊戯中に怖がっていたことを指摘して悔しい思いをさせることで遊戯者に再び遊戯に挑戦する動機を生じさせ、リピーターを増やして施設の来客数の向上を図ろうとする工夫が施されたものがあった。具体的に、特許文献１のアトラクション施設はいわゆるお化け屋敷であって、導入された遊戯者評価システムは、アトラクション施設の入口と出口にそれぞれ配設した心拍数測定装置と、出口に配設した判定表示装置とで構成され、入口で遊戯前の遊戯者の心拍数を心拍数測定装置で計測し、出口で遊戯後の遊戯者の心拍数を心拍数測定装置で計測し、両心拍数測定装置から得られた遊戯前後の遊戯者の心拍数測定値の違いをもとに遊戯者の怖がり具合を判定表示装置で判定し、その結果を遊戯者に対して表示するようにしている。
【０００４】
しかしながら、この遊戯者評価システムは、入口及び出口にはそれぞれ心拍数測定装置を配設すると共に出口にはこれに加えて判定表示装置を配設しなければならなく、これら装置の配設場所の確保などの問題からアトラクション施設に導入するには困難な場合があり、また遊戯者に入口及び出口で２度の心拍数計測を行うなど、遊戯者の怖がり具合の測定に際して遊戯者に煩雑感を与えてしまったり時間がかかってしまうといった問題があった。
【特許文献１】特開２０００−３５０８７４号公報
【発明の開示】
【発明が解決しようとする課題】
【０００５】
本発明は上記の従来の問題点に鑑みて発明したものであって、アトラクション施設に簡易に導入できると共に、遊戯者の怖がり具合の測定が遊戯者に煩雑感を与えることなく行える遊戯測定具、及びこれを導入したアトラクション施設を提供することを課題とするものである。
【課題を解決するための手段】
【０００６】
上記課題を解決するために本発明の請求項１に係る遊戯測定具にあっては、遊戯中に遊戯者に携帯させて遊戯者の怖がり具合を判定する遊戯測定具１であって、測定具本体に、遊戯中の遊戯者の怖がり具合を測定する測定手段２と、測定手段２で測定した測定値を記録する記録手段３と、記録手段３に記録された測定手段２での測定結果をもとに遊戯者の怖がり具合を判定する判定手段４と、判定手段４での判定結果を表示する表示手段６とを具備したことを特徴とする。これによると、遊戯中に遊戯者に携帯させた遊戯測定具１にあっては、測定手段２にて遊戯中の遊戯者の怖がり具合を測定すると共に、記録手段３にて測定手段２で測定した測定値を記録し、判定手段４によって記録手段３に記録された測定手段２での測定結果をもとに遊戯者の怖がり具合を判定すると共に、表示手段６にて判定手段４での判定結果を表示するといったことで、遊戯中の遊戯者の遊戯者の怖がり具合を判定して表示することができる。つまり、遊戯者の怖がり具合の測定は、従来の心拍数を測定する遊戯者評価システムのように遊戯前後に時間をとることはなく、遊戯者が遊戯中に携帯する遊戯測定具１によって遊戯中に行わせることができるのである。したがって、遊戯者に、遊戯者の怖がり具合の測定に煩雑感を抱かせることなく、遊戯を楽しませることができるのである。また、遊戯者を怖がらせたり驚かすような各種の仕掛けが備えられたアトラクション施設Ａに対して遊戯者の遊戯中の怖がり具合を判定する遊戯者評価システムを導入するには、携帯可能な遊戯測定具１を導入すれば済むものであって簡易に導入できるのである。
【０００７】
また、請求項２に係る遊戯測定具にあっては、請求項１において、測定具本体に判定手段４を作動させるための判定開始スイッチ５を設けたことを特徴とする。これによると、判定開始スイッチ５を押圧したときに、遊戯中の遊戯者の怖がり具合が判定手段４にて判定されて表示手段６にて判定結果が表示されるようになり、したがって、たとえば遊戯後に判定開始スイッチ５を押圧すると、遊戯者は遊戯後に自身の怖がり具合の判定を知ることができる。
【０００８】
また、請求項３に係る遊戯測定具にあっては、請求項１または２において、測定手段２として遊戯者による遊戯測定具１の振動を測定する振動センサ２ａを用い、測定具本体に、照明器具８と測定具本体の傾斜を測定する傾斜センサ７とを設けると共に、傾斜センサ７の測定値をもとに振動センサ２ａが正常に動作できない程に測定具本体が傾斜していると判定した場合に上記照明器具８の出力をオフにする照明制御手段９を設けたことを特徴とする。これによると、遊戯者が驚いたり怖がったりして走ったり体を震わせたりすると遊戯者が携帯した遊戯測定具１には振動が予期されるので、測定手段２として採用した振動センサ２ａによって簡単に遊戯者の怖がり具合を測定できるのであり、また、振動センサ２ａが正常に動作できない程に遊戯測定具１が傾斜した場合には、測定具本体に設けた傾斜センサ７及び照明制御手段９によって照明器具８の出力がオフになるようにされているので、通常暗がりで行われる胆試しなどの遊戯では遊戯者は照明器具８の出力がオフにならないように遊戯測定具１の傾倒姿勢を良好に維持することに努めることが予期できるのであり、遊戯測定具１の姿勢不良による振動センサ２ａの誤作動防止を図ることができる。
【０００９】
また、請求項４に係る遊戯測定具にあっては、請求項３において、照明器具８を多色ＬＥＤで構成して通常発光色以外の発光色に発光させることで表示手段６として機能させたことを特徴とする。これによると、照明器具８で表示手段６を兼ねることができ、部品の共通化を図って遊戯測定具１の構成の簡略化を図ることができる。
【００１０】
また、請求項５に係る遊戯測定具を導入したアトラクション施設にあっては、請求項１の遊戯測定具１を遊戯者を怖がらせたり驚かすような各種の仕掛けが備えられたアトラクション施設Ａの入口で遊戯者に貸与するようにし、アトラクション施設Ａの出口に遊戯測定具１の判定結果を表示させる判定表示装置１０を配設したことを特徴とする。これによると、アトラクション施設Ａでの遊戯後に、アトラクション施設Ａの出口に配設した判定表示装置１０によって、遊戯中の遊戯者の怖がり具合を表示させることができる。
【００１１】
また、請求項６に係る遊戯測定具を導入したアトラクション施設にあっては、請求項２の遊戯測定具１を遊戯者を怖がらせたり驚かすような各種の仕掛けが備えられたアトラクション施設Ａの入口で遊戯者に貸与するようにし、アトラクション施設Ａの出口に遊戯測定具１の判定結果を表示させる判定表示装置１０を配設し、判定表示装置１０に遊戯測定具１の判定開始スイッチ５を押圧するスイッチ押圧手段１８を設けたことを特徴とする。これによると、アトラクション施設Ａでの遊戯後に、アトラクション施設Ａの出口に配設した判定表示装置１０のスイッチ押圧手段１８によって判定開始スイッチ５を押圧して判定手段４を作動させ、遊戯中の遊戯者の怖がり具合を表示手段６によって表示させることができる。
【００１２】
また、請求項７に係る遊戯測定具を導入したアトラクション施設にあっては、請求項５または６において、判定表示装置１０に判定手段４での判定結果を表示する表示画面１１を設けたことを特徴とする。これによると、判定表示装置１０の表示画面１１によって遊戯者の怖がり具合の判定をより強い印象で遊戯者に表示することができるのであり、より強く遊戯者に遊戯への再挑戦を促すようにできる。
【発明の効果】
【００１３】
本発明は、遊戯者の怖がり具合の測定を遊戯者が携帯する遊戯測定具によって遊戯中に行わせることができるから、遊戯者に煩雑感を抱かせることなく遊戯者の怖がり具合の測定を行わせることができ、また、遊戯者を怖がらせたり驚かすような各種の仕掛けが備えられたアトラクション施設に対して遊戯者の遊戯中の怖がり具合を判定する遊戯者評価システムを導入するにあたっては、主に携帯可能な遊戯測定具を導入すれば済むものであって簡易に導入できるという効果を有している。
【発明を実施するための最良の形態】
【００１４】
本例のアトラクション施設Ａは、施設内には遊戯者を怖がらせたり驚かすような各種の仕掛けが備えられたいわゆるお化け屋敷である。遊戯者は施設の入口から暗所とされた施設内を歩いて施設の出口に向う間に、各種の仕掛けによって怖がらされたり驚かされたりして遊戯を楽しむものである。このアトラクション施設Ａには、遊戯者の遊戯中の怖がり具合を遊戯後に判定評価するような遊戯者評価システムが導入されており、遊戯者にたとえば遊戯中に怖がっていたことを指摘して悔しい思いをさせることで遊戯者に再び遊戯に挑戦する動機を生じさせ、リピーターを増やして施設の来客数の向上を図ろうとする工夫が施されている。
【００１５】
本例の遊戯者評価システムは、携帯用の遊戯測定具１と、出口に配設された判定表示装置１０とで構成されている。この遊戯測定具１はアトラクション施設Ａの入口で遊戯者に貸与されて遊戯中に遊戯者に携帯される器具であり、遊戯測定具１の測定具本体に内装した測定手段２にて遊戯者の怖がり具合の測定を遊戯中に行うものである。具体的に、本例の遊戯測定具１は、図１のように、上端に焔を有した蝋燭の形状に施されたハウジングを有し、遊戯者に把持される棒状の遊戯測定具１の把持部１ａには、上記測定手段２として遊戯測定具１の振動を測定する振動センサ２ａ、遊戯測定具１の傾斜を測定する傾斜センサ７、遊戯測定具１の制御を行う制御回路１２、後述する制御回路１２の判定手段４を作動させるための判定開始スイッチ５、遊戯測定具１の電源となる充電バッテリー１３、主に遊戯者の前方を照らすための照明具８ａが備えられており、また、焔のオブジェが形成された遊戯測定具１の先端部１ｂには、主に遊戯者の周囲を照らすと共に遊戯者の怖がり具合の判定を表示する表示手段６としての照明具８ｂが備えられている。後述の照明器具８は上記照明具８ａ，８ｂを言うものとする。
【００１６】
ここで、制御回路１２にあっては、図２のように、振動センサ２ａで測定した検知回数を記録する記録手段３と、この記録手段３に記録された検知回数をもとに遊戯者の怖がり具合を判定する判定手段４と、傾斜センサ７での測定値をもとに遊戯測定具１の傾斜具合を判断して遊戯測定具１が傾斜姿勢にある場合には照明器具８の出力をオフにするといった制御を行う照明制御手段９とを有して構成されている。詳しくは、記録手段３、判定手段４及び照明制御手段９はそれぞれ制御回路１２の一部を構成する回路部位である。なお、判定手段４には判定開始スイッチ５が接続されており、判定開始スイッチ５がオンとなった場合に初めて判定手段４が作動するようにされている。本例では、この判定開始スイッチ５は把持部１ａの下端から上方に穿孔された挿入孔１５の内部に臨んで配設されている。
【００１７】
また、遊戯測定具１の先端部１ｂに備えられた表示手段６としての照明具８ｂには、七色発光が可能な多色ＬＥＤを採用している。この照明具８ｂは判定手段４に接続されており、記録手段３で記録された検知回数をもとに遊戯者の怖がり具合を数段階に判定した判定手段４の判定結果に応じた制御によって、色が指定されて照明具８ｂが発光するようにされている。本例の照明具８ｂでは、周囲を照らす明かりとしての通常発光色は橙に設定されており、遊戯者の怖がり具合を表示させる表示手段６として機能させる場合には、怖がり具合が最大レベルのときにはピンクを発光し、怖がり具合が小さくなるにつれて、赤、橙、黄、緑、青、紫といったように７段階に発光するように設定してある。また、主に遊戯者の前方を照らすための照明具８ａとしてはブラックライトのＬＥＤが採用されている。ブラックライトとはいわゆる紫外線灯であって夜光塗料や白い塗料を暗中でも光らせる独特の照明効果があり、図３のように、お化け屋敷であるアトラクション施設Ａの施設内を不気味に照し出すことができ、遊戯中、遊戯者が怖がるような雰囲気が演出可能にされている。
【００１８】
また、アトラクション施設Ａの出口に配設された判定表示装置１０は、図４のように、アトラクション施設Ａの入口で遊戯者に貸与された遊戯測定具１を遊戯後に返却する部位であって、遊戯測定具１に遊戯者の怖がり具合の判定を行わせると共にその判定結果を表示するための装置である。遊戯測定具１を判定表示装置１０に返却する際には判定表示装置１０に設けた上方に面する載置面１６に遊戯測定具１を載置するのであるが、このとき判定表示装置１０に載置した遊戯測定具１を保持しつつ遊戯測定具１の判定開始スイッチ５を押圧するようなスイッチ押圧手段１８が遊戯測定具１と判定表示装置１０との間に設けられている。具体的には、判定表示装置１０の載置面１６から上方に挿入棒１７が突設されており、遊戯後、遊戯測定具１を載置面１６に立置きした際に挿入棒１７を遊戯測定具１の挿入孔１５に嵌合させることで、載置面１６に立置きした遊戯測定具１が保持されつつ判定開始スイッチ５が押圧されるのであり、遊戯中の遊戯者の怖がり具合が判定されて遊戯測定具１の表示手段６にて表示されるようになっている。なお、本例の判定表示装置１０には、遊戯者の怖がり具合の判定を表示する表示画面１１が設けられている。この表示画面１１での表示は、遊戯測定具１の判定手段４と判定表示装置１０の表示画面１１を制御す画面制御部とを接続する信号線として挿入棒１７を機能させたり等の任意の伝達手段を用い、遊戯測定具１の表示手段６としての照明具８ｂと同様に判定手段４に基いて、たとえば図５のように遊戯測定具１の表示手段６としての照明具８ｂが発光する色と同色の図形やコメントなどの文字を表示画面１１に表示させるようになっている。このように本例では、遊戯者の怖がり具合の判定の表示は、遊戯測定具１の表示手段６である照明具８ｂに加えて表示画面１１に表示されたコメントによっても行われるから、照明具８ｂのみで遊戯者の怖がり具合の判定が表示されるものに比べて遊戯者により印象強く遊戯者の怖がり具合の判定を伝えることができるのであり、遊戯者にアトラクション施設Ａへの再挑戦をより強く促すことが図られているのである。
【００１９】
このような遊戯者評価システムにあっては、まず、アトラクション施設Ａに簡単に導入可能であるといった利点を有している。つまり、この遊戯者評価システムにおいては、遊戯者の怖がり具合を測定する遊戯測定具１が携帯されるものであるから、アトラクション施設Ａに配設するものは出口に配設させる判定表示装置１０だけである。従来の遊戯者評価システムではアトラクション施設Ａの入口及び出口にそれぞれ心拍数測定装置を配設すると共に出口にはこれに加えて判定表示装置を配設する必要があったことを考えると、本例ではアトラクション施設Ａ側に配設する装置の点数が抑えられて配設場所の確保が容易であり、アトラクション施設Ａに簡単に導入できるのである。なお、この遊戯者評価システムは既存のアトラクション施設Ａに対しても簡易に導入できるのは言うまでもない。また、この遊戯者評価システムにあっては、遊戯中に遊戯者に携帯された遊戯測定具１によって遊戯者の怖がり具合が遊戯中に測定されるから、従来の遊戯者評価システムのように遊戯の前後での心拍数測定の必要もなく、遊戯者の怖がり具合の測定に際し遊戯者に煩雑感を与えることなく遊戯者に遊戯を楽しませることが可能にされているいう利点も有しているのである。
【００２０】
また、この遊戯者評価システムにおける遊戯測定具１にあっては、遊戯者の怖がり具合を遊戯中に測定する測定手段２として単純な振動センサ２ａが採用されると共に、振動センサ２ａの誤動作防止が単純な構成によって可能にされており、したがって、遊戯測定具１、ひいては遊戯者評価システムの簡易化が図られているという利点も有している。つまり、遊戯者が驚いたり怖がったりして走ったり体を震わせたりすると遊戯測定具１の振動が予期されるので、遊戯測定具１の測定手段２として採用した振動センサ２ａが検出した遊戯測定具１の振動回数によって、簡単に遊戯者の怖がり具合を測定できるのである。また、遊戯測定具１に設けた傾斜センサ７によって遊戯者に把持された遊戯測定具１の傾倒度合いが測定され、傾斜センサ７の測定値をもとに、振動センサ２ａが正常に機能しない程に遊戯測定具１が傾倒姿勢にあると照明制御手段９で判断したときには、照明制御手段９の制御によって遊戯測定具１の照明器具８の出力をオフにするようにしている。照明器具８が消えてしまうと暗所であるアトラクション施設Ａ内での歩行が困難になることから、遊戯者は照明器具８の出力をオフにしないように把持した遊戯測定具１を傾倒させずに適宜姿勢に維持するように努めることが予期でき、したがって遊戯測定具１の姿勢不良による振動センサ２ａの誤作動防止が図られているのである。このように本例の遊戯者評価システムは、簡単な構成で製造の低コスト化が図られたものでありながら、遊戯者の怖がり具合の測定において比較的高い作動信頼性も確保できたものである。
【００２１】
このように、上記の遊戯者評価システムを導入した本例のアトラクション施設Ａにあっては、入口で施設内に入る際に遊戯者には遊戯測定具１が貸与され、遊戯者は遊戯測定具１の照明器具８の明かりを頼りに暗い施設内を出口に向って歩いてゆき、その間に施設内に備えた各種の仕掛けによって遊戯者は驚かされたり怖がらされたりして肝試し的な遊戯を楽しみ、出口に着いた際に遊戯者は遊戯測定具１を判定表示装置１０の載置面１６に立置きして返却し、その際に遊戯測定具１の挿入孔１５に判定表示装置１０の挿入棒１７を嵌合させて判定開始スイッチ５をオンにし、遊戯者の怖がり具合を判定手段４で判定させ、その判定結果を表示手段６としての照明具８ｂや判定表示装置１０の表示画面１１にて遊戯者に対して表示させるのである。しかして、怖がり具合が大きかったと判定された場合には遊戯者に悔しい思いを感じさせることができるため、遊戯者に本例のアトラクション施設Ａへの再挑戦を促すことができるのである。つまり、遊戯者評価システムにより、繰り返しアトラクション施設で遊戯を楽しむリピータの増加を促すことがなされているのである。しかも、本例のアトラクション施設Ａにあっては、遊戯者の怖がり具合が測定、判定されるといった楽しみを付加させたものでありながら、上述のように従来の遊戯者評価システムにある遊戯の前後での心拍数測定などの煩雑さを無くすることができたものであり、遊戯者に煩雑感を抱かせることなく遊戯を楽しませることが可能にされているのである。
【００２２】
また、遊戯測定具１の測定手段２としては、特に図示はしないが、把持した手から出る微妙な汗の量の変化を測定する発汗計で構成させてもよい。怖がって緊張状態にあると発汗が多くなることから、発汗計でも遊戯者の怖がり具合を測定することができる。なお、この場合、遊戯測定具１の傾斜は発汗計の作動に影響はないことから、遊戯測定具１に傾斜センサ７を備える必要はない。また、上記アトラクション施設Ａとしては、入口から出口に向けて遊戯者自身が歩いて遊戯を楽しむものを例示したが、施設内を巡る乗物を配設してこの乗物で施設内を巡って遊戯を楽しむものでも構わない。遊戯測定具１の測定手段２が振動センサ２ａで構成され、遊戯者が乗る乗物が多少振動するものであっても、判定手段４での判定基準の設定を変えることで支障なく遊戯者の怖がり具合を判定できるのである。
【００２３】
また、遊戯測定具１を、上述のようにアトラクション施設Ａに導入した遊戯者評価システムの一部として用いるのではなく、アトラクション施設Ａを利用しない一般の胆試しなどの催しなどに単体で用いてもよい。なおこの場合には、遊戯測定具１の判定開始スイッチ５を遊戯測定具１の外側に露出させて手で押圧可能にしておけば上記判定表示装置１０の必要もなくすることができる。このように、一般の胆試しなどの催しにあっても遊戯測定具１を用いることで、遊戯者の怖がり具合を判定するといった新たな楽しみをつくることができるのである。
【００２４】
また、遊戯測定具１に判定開示スイッチ５を具備させず、遊戯中に、遊戯者の怖がり具合を測定手段２で測定しつつ、判定手段４で判定してその判定結果を表示手段６としての照明具８ｂで表示するようにしてもよく、この場合、遊戯中の遊戯者にリアルタイムに自身の怖がり具合を認識させることができて遊戯中に新たな楽しみをつくることができるのである。
【図面の簡単な説明】
【００２５】
【図１】本発明の実施の形態の例の遊戯測定具を示す透視斜視図である。
【図２】同上の遊戯測定具の制御ブロック図である。
【図３】同上の遊戯中の遊戯者の様子を示す図である。
【図４】同上のアトラクション施設の出口近傍を示す斜視図である。
【図５】同上の判定表示装置に設けた表示画面の一例を示す図である。
【符号の説明】
【００２６】
１  遊戯測定具
２  測定手段
２ａ  振動センサ
３  記録手段
４  判定手段
５  判定開始スイッチ
６  表示手段
７  傾斜センサ
８  照明器具
８ａ  照明具
８ｂ  照明具
９  照明制御手段
１０  判定表示装置
１１  表示画面
１８  スイッチ押圧手段
Ａ  アトラクション施設
【図１】
2006116078.tif 000003
【図２】
2006116078.tif 000004
【図３】
2006116078.tif 000005
【図４】
2006116078.tif 000006
【図５】
2006116078.tif 000007